(57)【要約】【課題】各種決済システム及び電子マネーシステム等をプリペイドカードシステムと切り離しつつ効率良く導入することを課題とする。【解決手段】デビット決済額若しくは現金に対応するチケットを発行するチケット発行機１３０と、このチケット発行機１３０により発行されたチケットを受け入れて該チケット分のパチンコ玉を貸出処理するチケット対応台間ユニット１１０と、残チケットの精算処理を行うチケット精算機１５０とを設け、デビット決済等で得たチケットの発行、該チケットを用いたパチンコ遊技並びに残チケットの精算を遊技客に提供する。【選択図】        図１
2007105320.tif 000002
【特許請求の範囲】
【請求項１】
決済システムにより決済された決済額、現金若しくは電子マネー記録媒体に記録された電子マネーに応じた遊技媒体を貸出処理する遊技媒体貸出システムであって、
前記決済額、現金若しくは電子マネーに対応する遊技媒体貸出用チケットを発行するチケット発行機と、
前記チケット発行機により発行された遊技媒体貸出用チケットを受け入れて該遊技媒体貸出用チケット分の遊技媒体を貸出処理するチケット処理機と
を備えたことを特徴とする遊技媒体貸出システム。
【請求項２】
前記チケット発行機は、発行対象となる遊技媒体貸出用チケットの金額入力を受け付ける金額入力受付手段と、前記金額入力受付手段により受け付けられた金額の決済完了通知、現金若しくは電子マネーを受け付けた際に、該金額分の遊技媒体貸出用チケットを発行処理する発行処理手段とを備えたことを特徴とする請求項１に記載の遊技媒体貸出システム。
【請求項３】
所定の金融機関により発行されたデビットカードを受け付けた際に該デビットカードに係るカード情報を読み取るカードリーダと、前記デビットカードの暗証番号を受け付ける暗証番号受付手段と、前記金額入力受付手段により受け付けた金額が示す決済要求額、前記カードリーダにより読み取られたカード情報及び前記暗証番号受付手段により受け付けられた暗証番号をデビットカードシステムの情報処理センタに送信して決済要求を行う決済要求手段とをさらに備え、前記発行処理手段は、前記情報処理センタから決済完了通知を受け付けた際に、決済額分の遊技媒体貸出用チケットを発行処理することを特徴とする請求項２に記載の遊技媒体貸出システム。
【請求項４】
前記発行処理手段は、前記金額に相当する単一金種が価値付けられた複数枚の遊技媒体貸出用チケットを発行処理することを特徴とする請求項２又は３に記載の遊技媒体貸出システム。
【請求項５】
前記チケット処理機は、前記チケット発行機により発行された遊技媒体貸出用チケットを受け付けるチケット受付手段と、前記チケット受付手段により受け付けられた遊技媒体貸出用チケットに価値付けられた金額に対応する遊技媒体を貸出処理する遊技媒体貸出処理手段とを備えたことを特徴とする請求項１〜４のいずれか一つに記載の遊技媒体貸出システム。
【請求項６】
前記チケット処理機は、単一金種の貨幣の投入を受け付ける貨幣受付手段をさらに備え、前記遊技媒体貸出処理手段は、前記貨幣受付手段により受け付けられた貨幣に対応する遊技媒体を貸出処理し、前記発行処理手段は、前記貨幣受付手段により受け付けられる金種が価値付けられた遊技媒体貸出用チケットを発行処理することを特徴とする請求項５に記載の遊技媒体貸出システム。
【請求項７】
前記チケット発行機により発行された遊技媒体貸出用チケットを受け付けるチケット受付手段と、前記チケット受付手段により受け付けられた遊技媒体貸出用チケットが前記チケット処理機で使用されていない未使用の遊技媒体貸出用チケットである場合に、該遊技媒体貸出用チケットに価値付けられた金額の貨幣を出力する貨幣出力手段とを有するチケット精算機をさらに備えたことを特徴とする請求項１〜６のいずれか一つに記載の遊技媒体貸出システム。
【請求項８】
決済システムにより決済された決済額、現金若しくは電子マネー記録媒体に記録された電子マネーに応じた遊技媒体を貸出処理する遊技媒体貸出方法であって、
前記決済額、現金若しくは電子マネーに対応する遊技媒体貸出用チケットをチケット発行機から発行するチケット発行工程と、
前記チケット発行工程により発行された遊技媒体貸出用チケットをチケット処理機が受け入れて該遊技媒体貸出用チケット分の遊技媒体を貸出処理するチケット処理工程と
を含んだことを特徴とする遊技媒体貸出方法。
【発明の詳細な説明】
【技術分野】
【０００１】
本発明は、決済システムにより決済された決済額、現金若しくは電子マネー記録媒体に記録された電子マネーに応じた遊技媒体を貸出処理する遊技媒体貸出システム及び遊技媒体貸出方法に関し、特に、各種決済システム及び電子マネーシステム等をプリペイドカードシステムと切り離しつつ効率良く導入することが可能な遊技媒体貸出システム及び遊技媒体貸出方法に関する。
【背景技術】
【０００２】
最近のパチンコ店では、金融機関により発行されたキャッシュカード（以下「デビットカード」と言う）を用いてプリペイドカードを購入することができるデビットカードシステムが導入されつつある。
【０００３】
例えば、特許文献１には、プリペイドカードを発行するカード発行機にデビット端末を併設し、デビット端末にデビットカードを挿入して所定の操作を行いつつカード発行機上の選択ボタンを押下すると、この選択ボタンに対応する額のデビット決済を行ってこの金額が価値付けられたプリペイドカードを発行する遊技システムが開示されている。
【０００４】
この特許文献１に代表される従来のデビットカードシステムでは、遊技客がデビットカードを用いてプリペイドカードを購入可能にすることにより、遊技客の手持ちの現金がなくなった場合であっても、遊技客がパチンコ店外の銀行等に赴かなくともプリペイドカードを購入できるようにしている。
【０００５】
【特許文献１】特開２００１−３５３３３９号公報
【発明の開示】
【発明が解決しようとする課題】
【０００６】
しかしながら、かかる従来のデビットカードシステムでは、デビット決済された決済金額でプリペイドカードを購入するものであるので、パチンコ店では、デビット決済システムのみを導入することはできず、併せてプリペイドカードシステムを導入せねばならず、結果的に膨大な初期投資がかかってしまうという問題があった。
【０００７】
かかる問題は、マルチペイメントネットワーク（ＭＰＮ）等の他の決済システムを導入する場合や、電子マネーシステムを導入する場合にも同様に生ずる問題である。これらのシステムについても、デビットカードシステムと同様にプリペイドカードシステムの存在を前提としているからである。
【０００８】
特に、最近の規制緩和に伴って、プリペイドカードがなくとも現金でパチンコ玉等を借り受けることが可能な現金機と呼ばれる遊技機が多数設置される傾向にあるため、プリペイドカードシステムと切り離してデビット決済システムを導入するニーズが高まってきている。
【０００９】
このことから、各種決済システム及び電子マネーシステム等をプリペイドカードシステムと切り離しつつ効率良く導入することが可能な遊技媒体貸出システムをいかにして実現するかが重要な課題となっている。
【００１０】
本発明は、上記課題（問題点）に鑑みてなされたものであり、各種決済システム及び電子マネーシステム等をプリペイドカードシステムと切り離しつつ効率良く導入することが可能な遊技媒体貸出システム及び遊技媒体貸出方法を提供することを目的とする。
【課題を解決するための手段】
【００１１】
上述した課題を解決するため、本発明は、決済システムにより決済された決済額、現金若しくは電子マネー記録媒体に記録された電子マネーに応じた遊技媒体を貸出処理する遊技媒体貸出システムであって、前記決済額、現金若しくは電子マネーに対応する遊技媒体貸出用チケットを発行するチケット発行機と、前記チケット発行機により発行された遊技媒体貸出用チケットを受け入れて該遊技媒体貸出用チケット分の遊技媒体を貸出処理するチケット処理機とを備えたことを特徴とする。
【００１２】
また、本発明は、上記発明において、前記チケット発行機は、発行対象となる遊技媒体貸出用チケットの金額入力を受け付ける金額入力受付手段と、前記金額入力受付手段により受け付けられた金額の決済完了通知、現金若しくは電子マネーを受け付けた際に、該金額分の遊技媒体貸出用チケットを発行処理する発行処理手段とを備えたことを特徴とする。
【００１３】
また、本発明は、上記発明において、所定の金融機関により発行されたデビットカードを受け付けた際に該デビットカードに係るカード情報を読み取るカードリーダと、前記デビットカードの暗証番号を受け付ける暗証番号受付手段と、前記金額入力受付手段により受け付けた金額が示す決済要求額、前記カードリーダにより読み取られたカード情報及び前記暗証番号受付手段により受け付けられた暗証番号をデビットカードシステムの情報処理センタに送信して決済要求を行う決済要求手段とをさらに備え、前記発行処理手段は、前記情報処理センタから決済完了通知を受け付けた際に、決済額分の遊技媒体貸出用チケットを発行処理することを特徴とする。
【００１４】
また、本発明は、上記発明において、前記発行処理手段は、前記金額に相当する単一金種が価値付けられた複数枚の遊技媒体貸出用チケットを発行処理することを特徴とする。
【００１５】
また、本発明は、上記発明において、前記チケット処理機は、前記チケット発行機により発行された遊技媒体貸出用チケットを受け付けるチケット受付手段と、前記チケット受付手段により受け付けられた遊技媒体貸出用チケットに価値付けられた金額に対応する遊技媒体を貸出処理する遊技媒体貸出処理手段とを備えたことを特徴とする。
【００１６】
また、本発明は、上記発明において、前記チケット処理機は、単一金種の貨幣の投入を受け付ける貨幣受付手段をさらに備え、前記遊技媒体貸出処理手段は、前記貨幣受付手段により受け付けられた貨幣に対応する遊技媒体を貸出処理し、前記発行処理手段は、前記貨幣受付手段により受け付けられる金種が価値付けられた遊技媒体貸出用チケットを発行処理することを特徴とする。
【００１７】
また、本発明は、上記発明において、前記チケット発行機により発行された遊技媒体貸出用チケットを受け付けるチケット受付手段と、前記チケット受付手段により受け付けられた遊技媒体貸出用チケットが前記チケット処理機で使用されていない未使用の遊技媒体貸出用チケットである場合に、該遊技媒体貸出用チケットに価値付けられた金額の貨幣を出力する貨幣出力手段とを有するチケット精算機をさらに備えたことを特徴とする。
【００１８】
また、本発明は、決済システムにより決済された決済額、現金若しくは電子マネー記録媒体に記録された電子マネーに応じた遊技媒体を貸出処理する遊技媒体貸出方法であって、前記決済額、現金若しくは電子マネーに対応する遊技媒体貸出用チケットをチケット発行機から発行するチケット発行工程と、前記チケット発行工程により発行された遊技媒体貸出用チケットをチケット処理機が受け入れて該遊技媒体貸出用チケット分の遊技媒体を貸出処理するチケット処理工程とを含んだことを特徴とする。
【発明の効果】
【００１９】
本発明によれば、決済額、現金若しくは電子マネーに対応する遊技媒体貸出用チケットをチケット発行機が発行し、チケット処理機が遊技媒体貸出用チケットを受け入れて該遊技媒体貸出用チケット分の遊技媒体を貸出処理するよう構成したので、各種決済システム及び電子マネーシステム等をプリペイドカードシステムと切り離しつつ効率良く導入することができる。
【００２０】
また、本発明によれば、チケット発行機は、発行対象となる遊技媒体貸出用チケットの金額入力を受け付け、受け付けた金額の決済完了通知、現金若しくは電子マネーを受け付けた際に、該金額分の遊技媒体貸出用チケットを発行処理するよう構成したので、決済システム、現金、電子マネーのいずれにも対応して遊技媒体貸出用チケットを発行することができる。
【００２１】
また、本発明によれば、所定の金融機関により発行されたデビットカードを受け付けた際に該デビットカードに係るカード情報をカードリーダで読み取り、デビットカードの暗証番号を受け付け、決済要求額、カード情報及び暗証番号をデビットカードシステムの情報処理センタに送信して決済要求を行い、情報処理センタから決済完了通知を受け付けた際に、決済額分の遊技媒体貸出用チケットを発行処理するよう構成したので、デビット決済システムを用いて効率良く遊技媒体貸出用チケットを発行することができる。
【００２２】
また、本発明によれば、金額に相当する単一金種が価値付けられた複数枚の遊技媒体貸出用チケットを発行処理するよう構成したので、遊技媒体貸出用チケットを単一金種として取り扱うことができるので、遊技媒体貸出用チケットの発行処理並びにその管理を効率良く行うことができる。
【００２３】
また、本発明によれば、チケット処理機は、チケット発行機により発行された遊技媒体貸出用チケットを受け付け、受け付けた遊技媒体貸出用チケットに価値付けられた金額に対応する遊技媒体を貸出処理するよう構成したので、遊技客は遊技媒体貸出用チケットさえ入手すれば遊技台において遊技媒体の貸出を受けることができる。
【００２４】
また、本発明によれば、チケット処理機は、単一金種の貨幣の投入を受け付けて該貨幣に対応する遊技媒体を貸出処理する場合に、この金種が価値付けられた遊技媒体貸出用チケットを発行処理するよう構成したので、例えば台間ユニットで１０００円の貨幣のみ利用できる場合に、この１０００円分が価値付けられた遊技媒体貸出用チケットが発行されることになるので、遊技客は、遊技媒体貸出用チケットを現金と同じ価値観で利用することができる。
【００２５】
また、本発明によれば、チケット発行機により発行された遊技媒体貸出用チケットを受け付け、受け付けた遊技媒体貸出用チケットがチケット処理機で使用されていない未使用の遊技媒体貸出用チケットである場合に、該遊技媒体貸出用チケットに価値付けられた金額の貨幣を出力するチケット精算機を設けるよう構成したので、未使用の遊技媒体貸出用チケットを現金化し、もって遊技客が遊技媒体貸出用チケットを全部消化する前に大当たりとなった場合でも、この遊技客が不利益を被る状況を未然に防止することができる。
【発明を実施するための最良の形態】
【００２６】
以下に添付図面を参照して、本発明に係る遊技媒体貸出システム及び遊技媒体貸出方法の好適な実施例を詳細に説明する。なお、ここでは本発明をデビット決済システムに適用した場合を中心に説明することとする。
【実施例】
【００２７】
まず、本実施例に係る遊技媒体貸出システムの概念について説明する。図１は、本実施例に係る遊技媒体貸出システムの概念を説明するための説明図である。同図に示すように、この遊技媒体貸出システムは、パチンコ店内にチケット発行機１３０、チケット対応台間ユニット１１０及びチケット精算機１５０を配設し、チケットを用いて遊技媒体であるパチンコ玉等を借り受けることが可能にした点にその特徴がある。特に、チケット発行機１３０では、デビット決済システムを用いてチケットを購入可能にしているので、従来のプリペイドカードシステムを導入しなくとも、デビット決済システムを導入することができる。
【００２８】
ここで言う「チケット」とは、パチンコ機１００に併設される台間ユニットで利用可能な紙幣分の有価価値が価値付けられた単金種の有価媒体であり、例えば台間ユニットで１０００円札のみが利用可能な場合には、１０００円分の有価価値が価値付けられたチケットが用いられる。なお、ここで対象とする台間ユニットは、プリペイドカード等を内在して高額紙幣に対応したものではなく、例えば１０００円を投入されれば１０００円分の玉を貸し出すようパチンコ機１００に指示する装置である。かかる台間ユニットを対象とした理由は、最近のパチンコ機１００はプリペイドカード対応以外のものが増加しつつあり、またプリペイドカードを前提としてしまうとプリペイドカードシステムとは別にデビットカードシステムを導入できないからである。
【００２９】
このように、かかるチケットは、従来のプリペイドカードのように所定額を価値付けて使用の都度減算するという性質のものではなく、台間機に投入される現金のように使い切り型の性質を持ったものである。
【００３０】
次に、この図１を用いて、チケット発行、チケット使用及びチケット精算の一連の流れについて説明する。なお、図１に示したチケット発行機１３０は、所定の情報処理センタに対してデビット決済依頼を行うデビット端末の機能を有するものとする。また、ターミナルコントローラ（以下「Ｔ／Ｃ」と言う）１６０の設定記憶部には、チケットの発行単位（ここでは１０００円とする）があらかじめ格納されているものとする。
【００３１】
同図に示すように、遊技客がチケット発行機１３０上で所望の金額ボタンを押下しつつデビットカードの挿入及び暗証番号入力を行うと（図中の（１））、押下された金額ボタンを決済要求額とするデビット決済要求がチケット発行機１３０から情報処理センタに対して行われる。
【００３２】
そして、かかるデビット決済要求が容認され決済要求額の決済処理がなされると、チケット発行機１３０は、発行対象となるチケットのチケットＩＤ（ここでは00298，00299，00300とする）を含むチケット発行依頼をＴ／Ｃ１６０に対して行う（図中の（２））。
【００３３】
このチケット発行依頼を受け付けたＴ／Ｃ１６０は、チケット残高情報データベース（チケット残高情報ＤＢ）に発行対象となるチケットのチケットＩＤ（00298，00299，00300）を登録し（図中の（３））、登録済みすなわち発行許可されたチケットのチケットＩＤ（00298，00299，00300）をチケット発行機１３０に通知する（図中の（４））。そして、この発行許可を受け付けたチケット発行機１３０は、チケットＩＤ（00298，00299，00300）のチケットを発行し（図中の（５））、遊技客は３枚のチケットを入手する。
【００３４】
かかる遊技客が、チケット対応台間ユニット１１０に赴いてチケットを挿入すると（図中の（６））、このチケット対応台間ユニット１１０からＴ／Ｃ１６０に対してチケットＩＤを含むチケット使用要求がなされ、該チケットＩＤが未使用である場合には、Ｔ／Ｃ１６０がチケット残高情報ＤＢを更新するとともにチケット対応台間ユニット１１０に対してチケット使用許可を出力する（図中の（７））。
【００３５】
そして、このチケット使用許可を受け取ったチケット対応台間ユニット１１０はパチンコ機１００に対して１０００円分のパチンコ玉を投出するよう指示し、この指示を受け取ったパチンコ機１００が１０００円分のパチンコ玉を投出する（図中の（８））。なお、使用済みのチケットは、チケット収納部に搬送される（図中の（９））。
【００３６】
一方、遊技客が未使用のチケットを持参してチケット精算機１５０に赴き、このチケット精算機１５０にチケットを挿入すると（図中の（６’））、チケット精算機１５０からＴ／Ｃ１６０に対してチケット精算要求がなされる（図中の（７’））。このチケット精算要求を受け付けたＴ／Ｃ１６０は、チケット残高情報ＤＢを参照してチケットが未使用であるか否かを確認し、未使用である場合にはチケット精算機１５０にチケット精算許可を送信する（図中の（８’））。
【００３７】
そして、このチケット精算許可を受信したチケット精算機１５０は、表示部にチケット残高を表示する（図中の（９’））。その後、遊技客によって精算ボタンが押下されたならば（図中の（１０’））、Ｔ／Ｃ１６０に対してチケット精算依頼を行う。そして、Ｔ／Ｃ１６０がチケット残高情報ＤＢを更新してチケット精算完了通知を行ったならば、チケット精算機１５０は精算額分の現金を出金する（図中の（１１’））。
【００３８】
上記一連の処理を行うことにより、チケット発行機１３０から発行した単一金種のチケットを用いて遊技客はパチンコ玉を借り受けることができ、また未使用のチケットをチケット精算機１５０で精算することができる。
【００３９】
次に、本実施例に係る遊技媒体貸出システムのシステム構成について説明する。図２は、本実施例に係る遊技媒体貸出システムのシステム構成を示すブロック図である。同図に示すように、パチンコ店内に設けられる各パチンコ機１００にはそれぞれチケット対応台間ユニット１１０が併設されており、各チケット対応台間ユニット１１０は、島コントローラ１６０を介してＴ／Ｃ１６０に接続されている。また、このＴ／Ｃ１６０には、デビット端末１４０が併設されたチケット発行機１３０とチケット精算機１５０が接続されている。
【００４０】
パチンコ機１００は、パチンコ玉を遊技領域に発射して遊技客が遊技を行う遊技機であり、チケット対応台間ユニット１１０は、このパチンコ機１００に併設され、現金若しくは単一金種分の有価価値が価値付けられたチケットを受け付けて遊技媒体であるパチンコ玉を貸し出す処理機である。島コントローラ１２０は、各島に配設されたパチンコ機１００及びチケット対応台間ユニット１１０とＴ／Ｃ１６０との間のデータ中継を行う中継装置である。
【００４１】
チケット発行機１３０は、単一金種の有価価値が価値付けられたチケットを発行する装置であり、遊技客がこのチケット発行機１３０に現金（紙幣）を投入するか又はデビット端末１４０を用いたデビット決済依頼によりチケットを発行することができる。
【００４２】
デビット端末１４０は、チケット発行機１３０と通信可能に接続されており、デビットカード、該デビットカードに対応付けられた暗証番号及び決済要求額を受け付けた場合には、この決済要求額のデビット決済要求を公衆回線網１７０を介して情報処理センタ１８０に対して行う端末装置である。
【００４３】
チケット精算機１５０は、チケット発行機１３０により発行されたチケットのうち未使用のものを精算して現金を投出する精算機である。このチケット精算機１５０にチケットが投入されると、該チケット精算機１５０がＴ／Ｃ１６０に対して精算可能であるか否かを問い合わせ、精算可能であればチケット分の現金を払い出すことになる。
【００４４】
Ｔ／Ｃ１６０は、パチンコ店に少なくとも１台設置してあり、チケット残高情報ＤＢを用いて各チケットＩＤごとに残有無、発行額、発行日時及び使用日時等を管理する管理装置である。すなわち、チケットにはチケットＩＤが記憶されており、このチケットＩＤに関する情報はＴ／Ｃ１６０で管理されているのである。
【００４５】
情報処理センタ１８０は、デビット端末１４０からのデビット決済要求を受け付ける窓口であり、かかるデビット決済要求を受け付けたならば、ＣＡＦＩＳネットワーク１９０を介して遊技客（利用者）の銀行口座が設けられているデビットカード発行銀行２００に対して残高問い合わせを行い、決済要求額以上の口座残高がある場合には決済処理を行う。この決済処理に応答して、デビットカード発行銀行２００の遊技客の銀行口座から加盟店銀行２１０の情報処理センタ１８０の口座に決済要求額が引き落とされる。その後、所定の手数料を差し引いた金額が、この加盟店銀行２１０の情報処理センタ１８０の口座から△△銀行２２０のパチンコ店の口座にまとめて決済額が振り込まれる。
【００４６】
次に、図２に示したデビット端末１４０及びチケット発行機１３０の構成について説明する。図３は、図２に示したデビット端末１４０及びチケット発行機１３０の外観構成を示す正面図である。
【００４７】
同図に示すように、このデビット端末１４０の前面には、表示部１４１、テンキー１４２、デビットカード挿入口１４３及びレシート発行口１４４が設けられ、チケット発行機１３０の前面には、表示部１３１、金額選択ボタン１３２、チケット発行口１３３及び紙幣挿入／排出口１３４が設けられている。
【００４８】
ここで、この正面図を用いてデビット端末１４０の操作概要を説明すると、まず遊技客は、デビットカード挿入口１４３にデビットカードを挿入するとともにテンキー１４２を用いて暗証番号を入力する。また、遊技客がチケット発行機１３０の金額選択ボタン１３２を押下すると、押下した金額が決済要求額としてデビット端末１４０に通知される。上記一連の操作が行われると、デビット端末１４０は情報処理センタ１８０に対してデビット決済要求を行う。
【００４９】
そして、情報処理センタ１８０によりデビット決済要求が容認されると、表示部１４１上に決済完了等が表示され、チケット発行機１３０のチケット発行口１３３から決済額に対応する額のチケットが排出されるとともに、レシート発行口１４４からレシートが発行され、デビットカード挿入口１４３からデビットカードが返却される。なお、チケットは単一金種であるので、決済額分の複数枚のチケットが排出されることになる。
【００５０】
図４は、図２に示したデビット端末１４０及びチケット発行機１３０の内部構成を示す機能ブロック図である。同図に示すように、このデビット端末１４０は、表示部１４１、テンキー１４２、通信インターフェース部（通信Ｉ／Ｆ部）１４０ａ及び１４０ｂ、カードリーダ１４０ｃ、印字部１４０ｄ、デビットカード処理部１４０ｅ及び制御部１４０ｆを有する。
【００５１】
表示部１４１は、液晶パネル等で形成される表示デバイスであり、この表示部１４１にはデビット決済要求した結果（容認又は棄却）等が表示される。テンキー１４２は、遊技客がデビット決済取引を行う際に必要になる情報すなわち暗証番号等の入力を行うための入力デバイスである。
【００５２】
通信Ｉ／Ｆ部１４０ａは、公衆回線網１７０を介して情報処理センタ１８０とデータ通信するためのインターフェース部であり、通信Ｉ／Ｆ部１４０ｂは、チケット発行機１３０並びに該チケット発行機１３０を介してＴ／Ｃ１５０と通信を行うためのインターフェース部である。
【００５３】
カードリーダ１４０ｃは、デビットカード挿入口１４３に挿入されたデビットカードからカードＩＤを読み取って制御部１４０ｆに出力する処理部であり、印字部１４０ｄは、デビット決済取引終了後のデビット明細をレシートとして印字するための小型プリンタである。この印字部１４０ｄで印字されたレシートは、レシート発行口１４４から排出される。
【００５４】
デビットカード処理部１４０ｅは、遊技客からデビット決済依頼を受け付けた際に、情報処理センタ１８０に対してこのデビット決済依頼に対応するデビット決済要求を行う処理部であり、具体的には、カードＩＤ、暗証番号及び決済要求額（選択された金額選択ボタン１３２の額＋手数料）を情報処理センタ１８０に送信してデビット決済要求を行う。例えば、カードＩＤ「1234567」を所有する遊技客から「３０００円」のデビット決済依頼を受けた場合には、このデビットカード処理部１４０ｅは、情報処理センタ１８０に対して「３０００円＋手数料」分のデビット決済要求を行う。
【００５５】
制御部１４０ｆは、デビット端末１４０の全体制御を行う制御部であり、具体的には、公衆回線網１７０を介して情報処理センタ１８０との間のデータ授受を行う処理、Ｔ／Ｃ１６０との通信を行う処理等を行う。
【００５６】
一方、チケット発行機１３０は、表示部１３１と、金額選択ボタン１３２と、通信Ｉ／Ｆ部１３０ａ及び１３０ｂと、紙幣処理部１３０ｃと、チケット発行処理部１３０ｄと、発行制御部１３０ｅとを有する。
【００５７】
表示部１３１は、液晶パネル等で形成される表示デバイスであり、この表示部１４１には発行するチケットの枚数及びチケットＩＤ等が表示される。金額選択ボタン１３２は、遊技客が購入するチケットの金額を指定するボタンであり、本実施例では一枚のチケットに１０００円の有価価値を価値付けることとしているので、３０００円の金額選択ボタンはチケット３枚を意味することになる。
【００５８】
通信Ｉ／Ｆ部１３０ａは、Ｔ／Ｃ１５０と通信を行うためのインターフェース部であり、通信Ｉ／Ｆ部１３０ｂは、デビット端末１４０との間でデータ通信するためのインターフェース部である。
【００５９】
紙幣処理部１３０ｃは、紙幣挿入／排出口１３４から挿入された紙幣に係る処理を行う処理部であり、具体的には、紙幣の金種判定、真偽判定、紙幣収納処理等を行う。
【００６０】
チケット発行処理部１３０ｄは、投入された紙幣若しくはデビット決済額分のチケットを発行する処理部であり、具体的には、紙幣を受け付けるか若しくはデビット決済がなされた場合に、該金額分のチケットのチケットＩＤを含むチケット発行依頼をＴ／Ｃ１６０に送信し、Ｔ／Ｃ１６０からチケット発行許可を受け付けた時点で該チケットをチケット発行口１３３から発行する。
【００６１】
発行制御部１３０ｅは、チケット発行機１３０の全体制御を行う制御部であり、Ｔ／Ｃ１６０及びデビット端末１４０との間の通信制御や、チケット発行処理部１３０ｄへのチケット発行指示制御等を行う。
【００６２】
次に、図３及び図４に示したデビット端末１４０及びチケット発行機１３０によるチケット発行手順について説明する。図５は、図３及び図４に示したデビット端末１４０及びチケット発行機１３０によるチケット発行手順を示すフローチャートである。なお、ここでは説明の便宜上、デビット端末１４０を用いたデビット決済によりチケットを発行する場合を示すこととする。
【００６３】
同図に示すように、チケット発行機１３０上の金額選択ボタン１３２の押下操作を受け付けるとともに（ステップＳ１０１）、デビット端末１４０によりデビットカード及び暗証番号を受け付けると（ステップＳ１０２）、デビット端末１４０が情報処理センタ１８０にデビット決済要求を行い（ステップＳ１０３）、決済結果待ちの状態となる（ステップＳ１０４否定）。
【００６４】
ここで、デビット端末１４０が情報処理センタ１８０から決済容認通知を受信したならば（ステップＳ１０４肯定、ステップＳ１０５肯定）、決済額分のチケットを発行する（ステップＳ１０６）。具体的には、３０００円分の決済要求を行った場合には、１０００円分の有価価値が価値付けられた３枚のチケットのチケット発行依頼をＴ／Ｃ１６０に対して行い、このＴ／Ｃ１６０から発行許可を受信したならば、かかる３枚のチケットをチケット発行口１３３から排出することになる。
【００６５】
また、デビット端末１４０は、レシート発行口１４４からレシートを排出し（ステップＳ１０７）、表示部１４１上に取引完了表示を行うことになる（ステップＳ１０８）。
【００６６】
一方、決済要求が棄却された場合には（ステップＳ１０４肯定、ステップＳ１０５否定）、デビット決済ができなかった旨を表示部１４１に表示するエラー処理を行って（ステップＳ１０９）、処理を終了する。
【００６７】
次に、図２に示したチケット対応台間ユニット１１０の内部構成について説明する。図６は、図２に示したチケット対応台間ユニット１１０の内部構成を示す機能ブロック図である。
【００６８】
同図に示すように、このチケット対応台間ユニット１１０は、現金（一金種のみ）及びチケットの挿入に応答して玉貸し処理を行う台間ユニットであり、紙幣処理部１１１と、チケット読取部１１２と、通信Ｉ／Ｆ部１１３と、制御部１１４とを有する。
【００６９】
紙幣処理部１１１は、図示しない紙幣挿入口から紙幣を受け付けた場合に、この紙幣の金種判定及び真偽判定を行い、受入対象金種（例えば１０００円）の正当な紙幣である場合には、制御部１１４にその旨を通知するとともに、紙幣を図示しない紙幣回収ボックスに搬送する処理部である。
【００７０】
チケット読取部１１２は、図示しないチケット挿入口からチケットを受け付けた場合に、該チケットに記憶されたチケットＩＤを読み取って制御部１１４に出力する処理部である。通信Ｉ／Ｆ部１１３は、島コントローラ１２０を介してＴ／Ｃ１６０との間のデータ通信を司るインターフェース部である。
【００７１】
制御部１１４は、チケット対応台間ユニット１１０の全体制御を行う制御部であり、現金対応玉貸し処理部１１４ａ、チケット対応玉貸し処理部１１４ｂ及びチケット搬送制御部１１４ｃを有する。現金対応玉貸し処理部１４ａは、図示しない紙幣挿入口から受け付けた紙幣に応答してパチンコ機１００の玉投出機構部１０１に紙幣分のパチンコ玉を投出するよう指示する処理部であり、かかる一連の処理はＴ／Ｃ１６０を介することなくローカルに行われる。
【００７２】
チケット対応玉貸し処理部１１４ｂは、図示しないチケット挿入口から受け入れたからチケットに応答して玉貸し処理を行う処理部であり、具体的には、チケット読取部１１２により読み取られたチケットＩＤが未使用であるか否かをＴ／Ｃ１６０に問い合わせ、未使用である場合にはパチンコ機１００の玉投出機構部１０１にチケット分のパチンコ玉を投出するよう指示する。チケット搬送制御部１１４ｃは、使用済みのチケットをチケット収納部に搬送するよう制御する制御部である。
【００７３】
次に、図６に示したチケット対応台間ユニット１１０による玉貸し処理手順について説明する。図７は、図６に示したチケット対応台間ユニット１１０による玉貸し処理手順を示すフローチャートである。
【００７４】
同図に示すように、このチケット対応台間ユニット１１０は、当初紙幣若しくはチケット待ちの状態にある（ステップＳ２０１否定、ステップＳ２０２否定）。ここで、図示しない紙幣挿入口から紙幣を受け付けたならば（ステップＳ２０１肯定）、この紙幣の金種判定及び真偽判定を行った後に、紙幣分の玉貸し処理を行うようパチンコ機１００の玉投出機構部１０１に指示する（ステップＳ２０３）。
【００７５】
これに対して、図示しないチケット挿入口からチケットを受け付けた場合には（ステップＳ２０２肯定）、チケット読取部１１２によりチケットＩＤを読み取り（ステップＳ２０４）、読み取ったチケットＩＤが未使用であるか否かをＴ／Ｃ１６０に問い合わせる（ステップＳ２０５）。
【００７６】
その結果、該チケットＩＤが未使用ではなく使用済み若しくは精算済みのものである場合には（ステップＳ２０６否定）、玉貸し処理を行わずに挿入されたチケットをそのまま排出し（ステップＳ２０７）、該チケットＩＤが未使用である場合には（ステップＳ２０６肯定）、チケット分の玉を投出するようパチンコ機１００の玉投出機構部１０１に指示するとともに（ステップＳ２０８）、該チケットをチケット収納部に搬送する（ステップＳ２０９）。
【００７７】
次に、図２に示したチケット精算機１５０の構成について説明する。図８は、図２に示したチケット精算機１５０の外観構成を示す正面図である。同図に示すように、このチケット精算機１５０の前面には、表示部１５１、チケット挿入口１５２、精算ボタン１５３、返却ボタン１５４及び紙幣排出口１５５が設けられている。
【００７８】
表示部１５１は、精算額等の表示を行う液晶パネル等の表示デバイスであり、チケット挿入口１５２は、精算対象となるチケットを受け付ける受付口である。また、精算ボタン１５３は、遊技客が該チケットの精算を行う際に押下操作するボタンであり、返却ボタン１５４は、遊技客が該チケットの返却を行う際に押下操作するボタンである。また、紙幣排出口１５５は、精算処理に応じた額の清算金を排出する開口部である。
【００７９】
ここで、遊技客がチケット挿入口１５２にチケットを挿入すると、このチケットの残額がＴ／Ｃ１６０に問い合わされ、その結果が表示部１５１に表示される。例えば複数枚のチケットを挿入した場合には、その合計額が表示部１５１に表示される。ここで、遊技客が返却ボタン１５４を押下すると、これらのチケットがチケット挿入口１５２から排出され、遊技客が精算ボタン１５３を押下すると、これらのチケット分の紙幣が紙幣排出口１５５から排出されることになる。
【００８０】
図９は、図２に示したチケット精算機１５０の内部構成を示す機能ブロック図である。同図に示すように、このチケット精算機１５０は、表示部１５１と、通信Ｉ／Ｆ部１５０ａと、操作制御部１５０ｂと、紙幣処理部１５０ｃと、チケット読取部１５０ｄと、チケット精算処理部１５０ｅと、制御部１５０ｆとを有する。
【００８１】
通信Ｉ／Ｆ部１５０ａは、Ｔ／Ｃ１６０との間のデータ通信を行うためのインターフェース部であり、操作制御部１５０ｂは、精算ボタン１５３及び返却ボタン１５４の押下操作を受け付ける処理部である。
【００８２】
紙幣処理部１５０ｃは、制御部１５０ｆからの払出指示を受け付けた際に、図示しない紙幣収納部から該当する金額の紙幣を取り出して紙幣排出口１５５から排出する処理部である。チケット読取部１５０ｄは、チケット挿入口１５２から挿入されたチケットからチケットＩＤを読み取って制御部１５０ｆに出力する処理部である。
【００８３】
チケット精算処理部１５０ｅは、読み取ったチケットの精算処理を行う処理部であり、具体的には、Ｔ／Ｃ１６０に対してチケットＩＤを送信してチケット精算要求を行い、Ｔ／Ｃ１６０からチケット精算許可を受け付けたならば、表示部１５１に精算額等を表示制御する。また、操作制御部１５０ｂにより精算ボタン１５３の押下が検出された場合には、Ｔ／Ｃ１６０に対してチケット残高情報ＤＢを更新するよう指示し、操作制御部１５０ｂにより返却ボタン１５４の押下が検出された場合には、チケットを返却するよう指示する。
【００８４】
制御部１５０ｆは、チケット精算機１５０の全体制御を行う制御部であり、具体的には、チケット読取部１５０ｄに対するチケットＩＤの読取指示、通信Ｉ／Ｆ部１５０ａを介したＴ／Ｃ１６０との間の通信制御、チケット精算処理部１５０ｅに対する精算指示、紙幣処理部１５０ｃに対する出金指示等を行う。
【００８５】
次に、図９に示したチケット精算機１５０の処理手順について説明する。図１０は、図９に示したチケット精算機１５０の処理手順を示すフローチャートである。同図に示すように、このチケット精算機１５０は、通常はチケットの受付待ちの状態にあり（ステップＳ３０１否定）、チケット挿入口１５２からチケットを受け付けると（ステップＳ３０１肯定）、チケット読取部１５０ｄでチケットＩＤを読み取り、読み取ったチケットＩＤのチケット精算要求を行ってその残額をＴ／Ｃ１６０に問い合わせ（ステップＳ３０２）、残額の応答待ちの状態となる（ステップＳ３０３否定）。
【００８６】
そして、Ｔ／Ｃ１６０からチケット精算許可応答として残額を受信したならば（ステップＳ３０３肯定）、表示部１５１に残額を表示し（ステップＳ３０４）、返却ボタン１５４又は精算ボタン１５３の押下操作待ちの状態となる（ステップＳ３０５否定、ステップＳ３０７否定）。ここで、返却ボタン１５４の押下操作を受け付けたならば（ステップＳ３０５肯定）、チケット挿入口１５２から受け付けたチケットを返却する（ステップＳ３０６）。
【００８７】
これに対して、精算ボタン１５３の押下操作を受け付けたならば（ステップＳ３０７肯定）、チケット残高情報ＤＢのデータを精算済みに更新するよう要求するチケット精算処理要求を行うとともに（ステップＳ３０８）、Ｔ／Ｃ１６０から精算済応答を受信したならば（ステップＳ３０９肯定）、残額分の現金を紙幣排出口１５５から排出する（ステップＳ３１０）。
【００８８】
上述してきたように、本実施例では、デビット決済額若しくは現金に対応するチケットを発行するチケット発行機１３０と、このチケット発行機１３０により発行されたチケットを受け入れて該チケット分のパチンコ玉を貸出処理するチケット対応台間ユニット１１０と、残チケットの精算処理を行うチケット精算機１５０とを設けるよう構成したので、デビット決済システムをプリペイドカードシステムと切り離しつつ効率良く導入することが可能となる。
【００８９】
なお、本実施例では、デビット決済システムを用いる場合を示したが、本発明はこれに限定されるものではなく、マルチペイメントネットワークのようなデビット決済システム以外の他の決済システムを用いた場合に適用することもできる。
【００９０】
また、ここでは説明の便宜上、現金若しくは決済システムに基づいてチケットを発行する場合を示したが、本発明はこれに限定されるものではなく、電子マネー媒体に記憶した電子マネーを用いてチケットを発行する場合に適用することもできる。かかる電子マネーを採用する場合には、チケット発行機１３０に電子マネーを受け付ける機能を設ける必要がある。
【００９１】
さらに、本実施例では、あらかじめＴ／Ｃ１６０の設定記憶部にチケット発行単位を記憶することとしたが、本発明はこれに限定されるものではなく、チケット対応台間ユニット１１０が対象とする額に動的に適合させることもできる。この場合には、Ｔ／Ｃ１６０が所定の若しくは全てのチケット対応台間ユニット１１０と通信を行って貸出単位額を取得し、取得した貸出単位額を設定記憶部に自動設定するよう構成すれば良い。ただし、チケット対応台間ユニット１１０が異なる貸出単位額を採用する場合には、これらを統一するよう遊技店員に報知させる必要がある。
【００９２】
また、本実施例では、チケット対応台間ユニット１１０からパチンコ機１００に対して玉貸し指示を行う場合を示したが、本発明はこれに限定されるものではなく、チケット対応台間ユニット１１０からノズルを介して直接パチンコ機１００の受け皿にパチンコ玉を投出する場合に適用することもできる。
【産業上の利用可能性】
【００９３】
本発明にかかる遊技媒体貸出システム及び遊技媒体貸出方法は、各種決済システム及び電子マネーシステム等をプリペイドカードシステムと切り離しつつ効率良く導入する場合に有用である。
【図面の簡単な説明】
【００９４】
【図１】本実施例に係る遊技媒体貸出システムの概念を説明するための説明図である。
【図２】本実施例に係る遊技媒体貸出システムのシステム構成を示すブロック図である。
【図３】図２に示したデビット端末及びチケット発行機の外観構成を示す正面図である。
【図４】図２に示したデビット端末及びチケット発行機の内部構成を示す機能ブロック図である。
【図５】図３及び図４に示したデビット端末及びチケット発行機によるチケット発行手順を示すフローチャートである。
【図６】図２に示したチケット対応台間ユニットの内部構成を示す機能ブロック図である。
【図７】図６に示したチケット対応台間ユニットによる玉貸し処理手順を示すフローチャートである。
【図８】図２に示したチケット精算機の外観構成を示す正面図である。
【図９】図２に示したチケット精算機の内部構成を示す機能ブロック図である。
【図１０】図９に示したチケット精算機の処理手順を示すフローチャートである。
【符号の説明】
【００９５】
１００  パチンコ機
１０１  玉投出機構
１１０  チケット対応台間ユニット
１１１  紙幣処理部
１１２  チケット読取部
１１３  通信Ｉ／Ｆ部
１１４  制御部
１１４ａ  現金対応玉貸し処理部
１１４ｂ  チケット対応玉貸し処理部
１１４ｃ  チケット搬送制御部
１２０  島コントローラ
１３０  チケット発行機
１３０ａ，１３０ｂ  通信Ｉ／Ｆ部
１３０ｃ  紙幣処理部
１３０ｄ  チケット発行処理部
１３０ｅ  発行制御部
１３１  表示部
１３２  金額選択ボタン
１３３  チケット発行口
１３４  紙幣挿入／排出口
１４０  デビット端末
１４１  表示部
１４２  テンキー
１４３  デビットカード挿入口
１４４  レシート発行口
１５０  チケット精算機
１５０ａ  通信Ｉ／Ｆ部
１５０ｂ  操作制御部
１５０ｃ  紙幣処理部
１５０ｄ  チケット読取部
１５０ｅ  チケット精算処理部
１５０ｆ  制御部
１５１  表示部
１５２  チケット挿入口
１５３  精算ボタン
１５４  返却ボタン
１５５  紙幣排出口
１６０  ターミナルコントローラ（Ｔ／Ｃ）
１７０  公衆回線網
１８０  情報処理センタ
１９０  ＣＡＦＩＳネットワーク
２００  デビットカード発行銀行（利用者の口座）
２１０  加盟店銀行（情報処理センタの口座）
２２０  △△銀行（パチンコ店の口座）
【図１】
2007105320.tif 000003
【図２】
2007105320.tif 000004
【図３】
2007105320.tif 000005
【図４】
2007105320.tif 000006
【図５】
2007105320.tif 000007
【図６】
2007105320.tif 000008
【図７】
2007105320.tif 000009
【図８】
2007105320.tif 000010
【図９】
2007105320.tif 000011
【図１０】
2007105320.tif 000012